(57)【要約】【課題】本体の奥側にカフ帯収納凹部を形成したものであっても、コンパクト化を維持したまま、カフ帯が取り出し易くなるように工夫した血圧計を提供する。【解決手段】本体２の手前側に設けられ、表示部６や操作部７を有する本体ブロック８と、本体２の奥側に形成され、カフ帯９を収納可能なカフ帯収納凹部１０を備えている。また、本体２の奥側に開閉自在にヒンジ結合され、本体２の少なくともカフ帯収納凹部１０の上面を覆うことが可能なカバー４を備えている。カバー４を開いた時に、カフ帯９をカフ帯収納凹部１０から上方に迫り上げ可能な迫り上げ部１２（１２Ａ，１２Ｂ）が設けられている。【選択図】図３
2010075342.tif 000002
【特許請求の範囲】
【請求項１】
本体の手前側に設けられ、表示部や操作部を有する本体ブロックと、本体の奥側に形成され、カフ帯を収納可能なカフ帯収納凹部と、本体の奥側に開閉自在にヒンジ結合され、本体の少なくともカフ帯収納凹部の上面を覆うことが可能なカバーとでなる血圧計であって、
前記カバーを開いた時に、カフ帯をカフ帯収納凹部から上方に迫り上げ可能な迫り上げ部が設けられていることを特徴とする血圧計。
【請求項２】
前記迫り上げ部は、前記カバーに設けられたリブであり、カバーの開き操作に連動して、カフ帯を上方に迫り上げるようになることを特徴とする請求項１に記載の血圧計。
【請求項３】
前記迫り上げ部は、前記本体に設けられた迫り上げ機構であり、この迫り上げ機構を作動させる作動操作部を有し、カバーを開いた後の作動操作部の操作で、カフ帯を上方に迫り上げるようになることを特徴とする請求項１に記載の血圧計。
【請求項４】
前記迫り上げ機構は、ソレノイドのプランジャであることを特徴とする請求項３に記載の血圧計。
【発明の詳細な説明】
【技術分野】
【０００１】
本発明は、血圧計に関する。
【背景技術】
【０００２】
従来、本体にヒンジで開閉可能に取付けられたカバー（蓋）の内側に、指カフが部分的に固定され、カバーを閉じたときに指カフを折り畳んで収納する指カフ収納部を本体に設けた血圧計がある（特許文献１参照）。
【０００３】
この血圧計は、カバーの内側に指カフを部分的に固定することで、カバーを開くときに、指カフを指カフ収納部から取り出し、カバーを閉じるときに、指カフを指カフ収納部に折り畳んで収納するものである。
【０００４】
前記のような指カフは、サイズが小さいものであるから、開いたカバーとともに指カフを指カフ収納部から取り出すことが可能であり、カバーに固定したままの指カフに指を差し込んで血圧を測定することが可能である。
【０００５】
ところで、腕に巻き付けるカフ帯は、サイズが大きいものであるから、指カフと同様に、カバーにカフ帯を部分的に固定することで、開いたカバーとともにカフ帯をカフ帯収納部から取り出すことは困難を伴うものである。
【０００６】
また、カバーに固定したままのカフ帯に腕を差し込んで（または、カバーに固定したままのカフ帯を腕に巻き付けて）血圧を測定することも困難を伴うものである。
【０００７】
そのために、サイズの大きいカフ帯を用いる血圧計では、本体の手前側に、表示部や操作部を有する本体ブロックを設け、本体の奥側に、ロール状に丸める等したカフ帯を収納可能なカフ帯収納凹部を形成する。また、本体の奥側に開閉自在にヒンジ結合したカバーで、本体の少なくともカフ帯収納凹部の上面を覆うようにする構造が考えられる。このカバーは、収納時のカフ帯の防塵のためのものである。
【特許文献１】特開平８−３１７９１１号公報
【発明の開示】
【発明が解決しようとする課題】
【０００８】
しかしながら、本体の奥側にカフ帯収納凹部を形成した血圧計では、本体ブロックとカバーとが邪魔になって、カフ帯収納凹部に収納されたカフ帯が取り出し難いという問題がある。
【０００９】
そこで、カフ帯を取り出し易くするために、本体の奥側のカフ帯収納部を底上げすることが考えられるが、本体全体が大きくなって、血圧計のコンパクト化が阻害されることになる。また、本体の手前側にカフ帯収納部を形成することも考えられるが、デザイン性が悪くなるばかりか、本体の手前側が大きくなって、血圧計のコンパクト化が阻害されることになる。
【００１０】
本発明は、前記問題を解消するためになされたもので、本体の奥側にカフ帯収納凹部を形成したものであっても、コンパクト化を維持したまま、カフ帯が取り出し易くなるように工夫した血圧計を提供することを目的とするものである。
【課題を解決するための手段】
【００１１】
前記課題を解決するために、本発明は、本体の手前側に設けられ、表示部や操作部を有する本体ブロックと、本体の奥側に形成され、カフ帯を収納可能なカフ帯収納凹部と、本体の奥側に開閉自在にヒンジ結合され、本体の少なくともカフ帯収納凹部の上面を覆うことが可能なカバーとでなる血圧計であって、前記カバーを開いた時に、カフ帯をカフ帯収納凹部から上方に迫り上げ可能な迫り上げ部が設けられていることを特徴とする血圧計を提供するものである。
【００１２】
請求項２のように、請求項１において、前記迫り上げ部は、前記カバーに設けられたリブであり、カバーの開き操作に連動して、カフ帯を上方に迫り上げるようになる構成とすることができる。
【００１３】
請求項３のように、請求項１において、前記迫り上げ部は、前記本体に設けられた迫り上げ機構であり、この迫り上げ機構を作動させる作動操作部を有し、カバーを開いた後の作動操作部の操作で、カフ帯を上方に迫り上げるようになる構成とすることができる。
【００１４】
請求項４のように、請求項３において、前記迫り上げ機構は、ソレノイドのプランジャである構成とすることができる。
【発明の効果】
【００１５】
本発明によれば、本体の奥側のカフ帯収納凹部にカフ帯が収納された状態で、カバーを開くと、迫り上げ部によって、カフ帯がカフ帯収納凹部から上方に迫り上げられるようになるから、カフ帯を本体ブロックとカバーとの間から取り出し易くなる。また、迫り上げ部でカフ帯をカフ帯収納凹部から迫り上げるだけであるから、本体が大きくならないので、血圧計をコンパクト化できるようになる。
【００１６】
請求項２によれば、カバーの開き操作に連動するリブによって、カフ帯を掬い上げるようにして、上方に迫り上げることができる。また、収納時は、リブの上にカフ帯を載せれば、カバーの閉じ操作によって、カバーの裏面で押し込みながらカフ帯収納凹部に収納することができる。さらに、カバーにリブを形成するだけであるから、構造が簡単でコスト安であり、既存の血圧計であっても、カバーを交換するだけで適用することができる。
【００１７】
請求項３および４によれば、本体の迫り上げ機構（ソレノイド等）によって、カバーを開いた後の作動操作部の操作（スイッチ操作等）で、カフ帯を突き上げるようにして、上方に迫り上げることができる。また、収納時は、迫り上げ機構の上にカフ帯を載せれば、カバーの閉じ操作によって、カバーの裏面で押し込みながらカフ帯収納凹部に収納することができる。このように、カバーの開き操作とは別操作で、カフ帯を迫り上げるようにすれば、カバーを開いて、本体ブロックの表示部で過去の測定データだけを見たいような場合、カフ帯が迫り上がらないので、デザイン性が良好になる。
【発明を実施するための最良の形態】
【００１８】
以下、本発明を実施するための最良の形態について、図面を参照しながら詳細に説明する。
【００１９】
図１はカバー４を閉じた血圧計１の斜視図、図２はカバー４を開いた血圧計１の斜視図である。
【００２０】
血圧計１は、本体２と、この本体２の奥側にヒンジ部３（図３参照）で開閉自在に結合されたカバー４とを備えている。このカバー４は、本実施形態では、本体２の上面全体を覆うようになっているが、後述するカフ帯収納凹部１０の上面を覆うだけのものであっても良い。
【００２１】
カバー４は、図１の閉じた状態では、不用意に開かないように本体２に係止され、係止部５を手操作して係止を解除すると、図２のように、本体２に対してほぼ直角に近い状態まで立ち上がって開くことができる。
【００２２】
本体２の手前側には、表示部（液晶ディスプレィ）６や電源スイッチ７ａ、加圧開始スイッチ７ｂ等を設けた操作部７を有する本体ブロック８が設けられている。この本体ブロック８内には、後述するカフ帯９に空気を給排するポンプ、制御ユニット等が内蔵されている。
【００２３】
本体２の奥側には、カフ帯９を収納可能なカフ帯収納凹部１０が形成されている。カフ帯９には、本体ブロック８内のポンプから貫通孔を介してカフ帯収納凹部１０の外部に延び、カフ帯９の空気袋に空気を給排するフレキシブルなチューブ１１が接続されている。このチューブ１１は、腕に巻き付けやすい位置までカフ帯９を移動させるに足る長さに設定されている。
【００２４】
カフ帯９は、使用時は、横長状に展開して腕に巻き付け、その両端部分を面ファスナー等で止め付ける。
【００２５】
また、収納時にはロール状に丸める等する（図３参照）。このロール状に丸めたカフ帯９は、図２のように、チューブ１１とともに本体２の奥側のカフ帯収納凹部１０に上方から収納することができる。
【００２６】
カバー４を開いた時に、カフ帯９をカフ帯収納凹部１０から上方に迫り上げ可能な迫り上げ部１２が設けられている。
【００２７】
迫り上げ部１２の第１実施形態は、図３に示すように、カバー４のヒンジ部３に一体的に設けられたリブ１２Ａである。このリブ１２Ａは、ヒンジ部３からカバー４と反対方向に、丸めたカフ帯９の外周面とほぼ等しい円弧状で延びている。
【００２８】
図３では、カバー４を開いて、カフ帯９が迫り上げられた状態を実線で示し、カフ帯９をカフ帯収納凹部１０に収納し、カバー４の閉じた状態を二点鎖線で示している。
【００２９】
第１実施形態のリブ（迫り上げ部）１２Ａであれば、本体２の奥側のカフ帯収納凹部１０にカフ帯９が収納された状態で、カバー４を開く。このカバー４の開き操作に連動するリブ１２Ａによって、カフ帯９を掬い上げるようにして、カフ帯収納凹部１０から上方に迫り上げる（リフトアップ）ことができる。
【００３０】
このようにして、カフ帯収納凹部１０から上方に迫り上ったカフ帯９は、本体ブロック８とカバー４との間から取り出し易くなる。また、収納時は、リブ１２Ａの上にカフ帯９を載せれば、カバー４の閉じ操作によって、カバー４の裏面で押し込みながらカフ帯収納凹部１０に収納することができる。
【００３１】
このように、リブ１２Ａでカフ帯９をカフ帯収納凹部１０から迫り上げるだけであるから、本体２が大きくならないので、血圧計１をコンパクト化できるようになる。また、カバー４にリブ１２Ａを形成するだけであるから、構造が簡単でコスト安であり、既存の血圧計であっても、カバー４を交換するだけで適用することができる。
【００３２】
迫り上げ部１２の第２実施形態は、図４に示すように、本体２の本体ブロック８内に設けられたソレノイド（迫り上げ機構）１２Ｂである。このソレノイド１２Ｂのプランジャ１２ａは、電源スイッチ７ａのオン操作に伴ってソレノイド１２Ｂが励磁された時に、本体ブロック８内から貫通孔を介してカフ帯収納凹部１０の底側に突出するようになる。なお、電源スイッチ７ａとは別に、カフ帯９の迫り上げ専用のスイッチを設けることもできる。
【００３３】
図４では、カバー４を開いて、カフ帯９が迫り上げられた状態を実線で示し、カフ帯９をカフ帯収納凹部１０に収納し、カバー４の閉じた状態を二点鎖線で示している。
【００３４】
第２実施形態のソレノイド（迫り上げ機構）１２Ｂであれば、本体２の奥側のカフ帯収納凹部１０にカフ帯９が収納された状態で、カバー４を開く。このカバー４を開いた状態では、カフ帯９は迫り上がらない。
【００３５】
そして、カバー４を開いた後の別操作、つまり電源スイッチ（作動操作部）７ａのオン操作に伴ってソレノイド１２Ｂが励磁されることで、プランジャ１２ａが突出すると、このプランジャ１２ａでカフ帯９を突き上げるようにして、上方に迫り上げることができる。
【００３６】
また、収納時は、プランジャ１２ａの上にカフ帯９を載せ、電源スイッチ７ａをオフ操作すれば、ソレノイド１２Ｂの消磁でプランジャ１２ａが没入する。これにより、カバー４の閉じ操作によって、カバー４の裏面で押し込みながらカフ帯収納凹部１０に収納することができる。
【００３７】
このように、カバー４の開き操作とは別操作で、カフ帯９を迫り上げるようにすれば、カバー４を開いて、本体ブロック８の表示部６で過去の測定データだけを見たいような場合、カフ帯９が迫り上がらないので、デザイン性が良好になる。
【００３８】
第２実施形態では、迫り上げ機構として電動のソレノイド１２Ｂを用いたものである。これに対して、カフ帯収納凹部１０の内部と本体２の外部とに臨むテコ状の手動操作レバー（作動操作部）を設けて、本体２の外部から手動操作レバーを押し下げ操作等すれば、カフ帯９を突き上げるようにして、上方に迫り上げることができる。
【図面の簡単な説明】
【００３９】
【図１】本発明に係る血圧計であり、カバーを閉じた状態の斜視図である。
【図２】本発明に係る血圧計であり、カバーを開いた状態の斜視図である。
【図３】第１実施形態の迫り上げ部を設けた血圧計の模式側面図である。
【図４】第２実施形態の迫り上げ部を設けた血圧計の模式側面図である。
【符号の説明】
【００４０】
１      血圧計
２      本体
３      ヒンジ部
４      カバー
６      表示部
７      操作部
７ａ    電源スイッチ（作動操作部）
８      本体ブロック
９      カフ帯
１０    カフ帯収納部
１２    迫り上げ部
１２Ａ  リブ（迫り上げ部）
１２Ｂ  ソレノイド（迫り上げ部）
【図１】
2010075342.tif 000003
【図２】
2010075342.tif 000004
【図３】
2010075342.tif 000005
【図４】
2010075342.tif 000006